(57)【要約】【課題】コラム毎の商品の販売個数と商品が完売してからの経過時間を表示することで、補充管理を効率的に行うことが可能な自動販売機を提供することを目的とする。【解決手段】本発明に係る自動販売機８０によれば、第１検知部４０が第１の開動作を検知すると自動的に商品情報表示部３４にそのコラムの商品の販売個数を表示する。また、第２検知部４２が第２の開動作を検知すると自動的に商品情報表示部３４に商品が完売してからの経過時間を表示する。さらに、第１検知部４０及び第２検知部４２が第１の閉動作及び第２の閉動作を検知すると自動的に商品の販売個数のクリア及びカウンタ部４４のリセットを行う。よって、巡回員は効率の良い補充管理作業を行うことができる。【選択図】図４
2010218134.tif 000002
【特許請求の範囲】
【請求項１】
商品を収容する複数のコラムと、
当該コラムに対応し商品の販売価格を表示する複数の商品情報表示部と、
商品の管理時に開閉する扉部と、
商品の販売個数をコラム毎に記録する販売個数記録部と、
前記扉部の第１の開動作及び第１の閉動作を検知する第１検知部と、を有し、
第１検知部が第１の開動作を検知すると前回扉部が第１の閉動作をした時からの各コラム毎の販売個数を販売個数記録部から取得して対応する商品情報表示部にそれぞれ表示し、
第１検知部が第１の閉動作を検知すると販売個数記録部に記録された全てのコラムの商品の販売個数をクリアすることを特徴とする自動販売機。
【請求項２】
商品が完売してからの経過時間をコラム毎にカウントするカウンタ部と、
扉部の第２の開動作及び第２の閉動作を検知する第２検知部と、をさらに有し、
第２検知部が第２の開動作を検知すると各コラム毎の経過時間をカウンタ部から取得して対応する商品情報表示部にそれぞれ表示し、
第２検知部が第２の閉動作を検知するとカウンタ部の全てのコラムの経過時間をリセットすることを特徴とする請求項１記載の自動販売機。
【発明の詳細な説明】
【技術分野】
【０００１】
本発明は、商品の補充管理を効率的に行うことが可能な自動販売機に関するものである。
【背景技術】
【０００２】
現在、缶、ビン、ＰＥＴボトル入り飲料、タバコ、その他物品を販売する自動販売機が多数設置されている。これら自動販売機は、通常巡回員が複数の自動販売機を定期的に巡回し、商品の補充を含む様々な補充管理作業を行っている。よって、自動販売機の管理コスト削減や巡回員の負荷軽減、作業時間の短縮等の観点から、これら自動販売機の補充管理作業の効率化が求められている。
【０００３】
ここで、下記［特許文献１］には、商品の総販売本数及びホット商品とコールド商品との販売比率を表示可能とすることで、巡回員が販売商品におけるホット商品とコールド商品の構成比率を容易に見直すことができる自動販売機に関する発明が開示されている。
【先行技術文献】
【特許文献】
【０００４】
【特許文献１】特開２００８−７０９３２号公報
【発明の概要】
【発明が解決しようとする課題】
【０００５】
しかしながら、商品の補充作業の効率化を図るためには、巡回員に対しどの商品をどれだけ補充すべきかを具体的かつ直接的に提示することが好ましい。
【０００６】
また、商品が完売し売切れ期間が生じることは自動販売機の販売効率の面から好ましいものではない。よって、売切れ期間が生じることのないよう巡回員の巡回期間を決定することが好ましい。
【０００７】
本発明は上記事情に鑑みて成されたものであり、コラム毎の商品の販売個数と商品が完売した場合に完売してからの経過時間を表示することで、補充管理を効率的に行うことが可能な自動販売機を提供することを目的とする。
【課題を解決するための手段】
【０００８】
本発明は、
（１）商品を収容する複数のコラムと、
当該コラムに対応し商品の販売価格を表示する複数の商品情報表示部３４と、商品の管理時に開閉する扉部３０と、商品の販売個数をコラム毎に記録する販売個数記録部４３と、前記扉部３０の第１の開動作及び第１の閉動作を検知する第１検知部４０と、を有し、第１検知部４０が第１の開動作を検知すると前回扉部３０が第１の閉動作をした時からの各コラム毎の販売個数を販売個数記録部４３から取得して対応する商品情報表示部３４にそれぞれ表示し、第１検知部４０が第１の閉動作を検知すると販売個数記録部４３に記録された全てのコラムの商品の販売個数をクリアすることを特徴とする自動販売機８０を提供することにより、上記課題を解決する。
（２）商品が完売してからの経過時間をコラム毎にカウントするカウンタ部４４と、扉部３０の第２の開動作及び第２の閉動作を検知する第２検知部４２と、をさらに有し、第２検知部４２が第２の開動作を検知すると各コラム毎の経過時間をカウンタ部４４から取得して対応する商品情報表示部３４にそれぞれ表示し、第２検知部４２が第２の閉動作を検知するとカウンタ部４４の全てのコラムの経過時間をリセットすることを特徴とする上記（１）記載の自動販売機８０を提供することにより、上記課題を解決する。
【発明の効果】
【０００９】
本発明に係る自動販売機は、補充管理時等に行う扉部の第１の開動作と連動して商品を収容するコラム毎の販売個数を表示する。これにより、効率的且つ迅速な補充管理作業を行うことができる。
【００１０】
また、本発明に係る自動販売機は、扉部の第２の開動作と連動して商品が完売してからの経過時間を表示する。これにより、売切れ期間が生じないような適切な巡回期間の見直を容易に行うことが可能となり、効率の良い補充管理を行うことができる。
【図面の簡単な説明】
【００１１】
【図１】本発明に係る自動販売機の外観図である。
【図２】本発明に係る自動販売機の商品情報表示部及び商品状態表示部を説明する図である。
【図３】本発明に係る自動販売機のブロック図である。
【図４】本発明に係る自動販売機のフローチャートである。
【発明を実施するための形態】
【００１２】
本発明に係る自動販売機の実施の形態について図面に基づいて説明する。図１は、本発明に係る自動販売機の外観図である。図２は、本発明に係る自動販売機の商品情報表示部及び商品状態表示部を説明する図である。図３は、本発明に係る自動販売機のブロック図である。図４は、本発明に係る自動販売機のフローチャートである。尚、ここでは飲料用の自動販売機を例に説明を行うが、本発明は特に飲料用のものに限定されるわけではなく、タバコその他の自動販売機にも適用が可能である。また、ここでは、販売個数と完売してからの経過時間とを表示する例を用いて説明を行うが、販売個数のみを表示する構成としても良い。尚、以下の説明では、本願に直接関係の無い構成及び動作に関しては一部図示及び説明を省略する。
【００１３】
図１に示す、本発明に係る自動販売機８０は、前面が開口した本体キャビネット２０と、当該本体キャビネット２０の開口部に例えばヒンジ２２等により開閉可能に設置された扉部３０と、で主に構成されている。そして、本体キャビネット２０と扉部３０との開閉部分には、扉部３０の開閉を検知する第２検知部４２が設置されている。
【００１４】
本体キャビネット２０内には、商品を所定の本数収容可能な複数のコラム（図示せず）と、コラムに収容された商品をコラム毎もしくはコラムの所定のブロック毎に所望の温度に加温もしくは冷却する温度制御ユニット（図示せず）と、コラムに収容された商品が完売したことを検知する完売検知部（図示せず）と、が設けられている。
【００１５】
扉部３０には、前面が透明なガラスもしくはプラスチックで構成され内部を目視可能なディスプレイ室１２と、各コラムと対応する商品選択ボタン１４と、商品購入者が投入する貨幣の処理を行う貨幣処理部４９と、つり銭もしくは投入硬貨を排出する返却口５４と、購入された商品を搬出する商品取出し口１６と、扉部３０を施錠する鍵部３２と、鍵部３２の施錠及び開錠を検知する第１検知部４０と、を有している。
【００１６】
商品選択ボタン１４内には、商品選択ボタン１４と対応する商品が販売可能であることを示す販売可能ランプと、対応する商品が売切れであることを示す売切れランプと、を備えた販売可否表示部１５が設置されている。
【００１７】
ディスプレイ室１２内には、コラムに収容された商品と対応する商品見本１０と、対応する商品見本１０の近傍に個別に設置されそれぞれのコラムに対応するとともに対応するコラムの商品の販売価格等を表示する商品情報表示部３４と、同じく対応する商品見本１０の近傍に個別に設置されそれぞれ対応するコラムの商品が加温状態（ＨＯＴ）であるか冷却状態（ＣＯＬＤ）であるかを表示する商品状態表示部３６と、が設置されている。
【００１８】
また、貨幣処理部４９は、商品購入者が紙幣を投入する紙幣投入部５０と、商品購入者が硬貨を投入する硬貨投入部５１と、投入した貨幣（紙幣及び硬貨）を返却するときに用いる返却レバ５３と、投入した貨幣の種別及び真贋を判別するとともに投入金額を算出する貨幣検査部（図示せず）と、算出された投入金額を表示する投入金額表示部５２と、を有している。
【００１９】
次に、商品情報表示部３４及び商品状態表示部３６の概略構成を図２を用いて説明する。商品情報表示部３４及び商品状態表示部３６は、図２（ａ）に示すように、表示プレート６０と液晶表示器６２とで主に構成されている。
【００２０】
表示プレート６０は、商品情報表示部３４を構成する領域６０ａと、商品状態表示部３６を構成する領域６０ｂ、領域６０ｃとを有している。そして、領域６０ａは例えば背景が白色で且つ所定の位置に
“￥”の文字が印刷されている。また、領域６０ｂは例えば背景が青色でかつ所定の位置に商品が冷却状態であることを示す“つめたーい”もしくは“ＣＯＬＤ”等の文字が印刷されている。さらに、領域６０ｃは例えば背景が赤色でかつ所定の位置に商品が加温状態であることを示す“あったかーい”もしくは“ＨＯＴ”等の文字が印刷されている。
【００２１】
液晶表示器６２は、商品情報表示部３４を構成する数字表示部６２ａと、商品状態表示部３６を構成する液晶シャッタ６２ｂ、液晶シャッタ６２ｃとを有している。数字表示部６２ａは例えば３桁の７セグメントディスプレイで構成され、商品の販売価格や後述する商品の販売個数、完売してからの経過時間等を表示する。また、液晶シャッタ６２ｂ、液晶シャッタ６２ｃは商品の販売温度の設定に応じて表示プレート６０の領域６０ｂ、領域６０ｃのいずれか一方をマスクする。例えば、商品の販売価格が１５０円で商品の販売温度が冷却設定の場合、図２（ｂ）に示すように、数字表示部６２ａは“１５０”を表示する。また、液晶シャッタ６２ｂが透光状態となり表示プレート６０における領域６０ｂの“つめたーい”の文字を目視可能とし、同時に液晶シャッタ６２ｃが遮蔽状態となり領域６０ｃの“あったかーい”の文字をマスクして目視不可とする。これにより、商品情報表示部３４には“￥１５０”の文字が表示され、商品状態表示部３６には“つめたーい”の文字が表示される。また、例えば、商品の販売価格が１２０円で商品の販売温度が加温設定の場合、図２（ｃ）に示すように、数字表示部６２ａは“１２０”を表示する。また、液晶シャッタ６２ｂが遮蔽状態となり領域６０ｂの“つめたーい”の文字をマスクして目視不可とし、同時に液晶シャッタ６２ｃが透光状態となり領域６０ｃの“あったかーい”の文字を目視可能とする。これにより、商品情報表示部３４には“￥１２０”の文字が表示され、商品状態表示部３６には“あったかーい”の文字が表示される。
【００２２】
次に、本発明に係る自動販売機の動作を図３のブロック図及び図４のフローチャートを用いて説明する。
【００２３】
先ず、本発明に係る自動販売機のブロック図を図３に示す。尚、前述のように、本発明と直接関係の無いブロックに関しては記載及び説明を省略する。
【００２４】
図３に示す本発明に係る自動販売機８０は、第１検知部４０と第２検知部４２と貨幣処理部４９とに加え、自動販売機８０の各部を制御する主制御部７０と、コラム毎の商品の販売個数を記録する販売個数記録部４３と、コラムの商品が完売してからの経過時間をコラム毎にカウントするカウンタ部４４と、コラムに収容された商品の搬出を制御する搬出制御部７４と、自動販売機８０の各表示部を制御する表示制御部７２と、を有している。
【００２５】
次に、本発明に係る自動販売機の動作を説明する。
【００２６】
先ず、初期状態において、自動販売機８０の各コラムには所定の商品が所定数量収容される。また、自動販売機８０の主制御部７０には各コラムの商品の販売価格と販売温度が設定される。尚、これらの設定を巡回員の携帯端末から無線で行うことで、自動販売機８０の補充管理をさらに効率良く行うことができる。
【００２７】
各コラムの商品の販売価格と販売温度の設定が行われると主制御部７０は表示制御部７２を制御して、販売価格設定に応じた販売価格を各コラムと対応するそれぞれの商品情報表示部３４に表示させる。また、主制御部７０は表示制御部７２を制御して、販売温度設定に応じた商品状態表示（冷却状態表示、加温状態表示）を各コラムと対応するそれぞれの商品状態表示部３６に表示させる。さらに、主制御部７０は温度制御ユニットを制御して、各コラムの商品を販売温度の設定に応じた所望の温度に冷却もしくは加温する。そして、各コラムの商品が所望の温度となったところで、自動販売機８０は販売待機状態（Ｓ１００）となる。
【００２８】
自動販売機８０が販売待機状態（Ｓ１００）にあるときに、商品購入者が貨幣処理部４９の紙幣投入部５０もしくは硬貨投入部５１に貨幣（紙幣もしくは硬貨）を投入すると、貨幣処理部４９の貨幣検査部が投入された貨幣の種別を判別して投入金額を算出する。そして、貨幣処理部４９は貨幣検査部が算出した投入金額を投入金額表示部５２に表示させるとともに、投入金額を主制御部７０に出力する。尚、貨幣検査部が投入された貨幣の種別を判別できない場合、貨幣検査部は投入された貨幣を使用できない貨幣もしくは贋物と判断し、紙幣投入部５０もしくは返却口５４から排出、返却する。
【００２９】
主制御部７０は貨幣処理部４９からの投入金額を受けて表示制御部７２を制御し、投入金額で購入可能な商品のコラムと対応する販売可否表示部１５の販売可能ランプを点灯させる。
【００３０】
商品購入者は販売可否表示部１５の販売可能ランプを視認して、所望の商品と対応する商品選択ボタン１４を押下する。主制御部７０は商品選択ボタン１４の押下を検知すると、搬出制御部７４を制御して対応するコラムの商品を商品取出し口１６に搬出する。また、貨幣処理部４９はつり銭がある場合に所定のつり銭を返却口５４から排出する。これにより、商品の販売が行われる。
【００３１】
商品の販売がされると（Ｓ１０２）、販売個数記録部４３はその販売した個数を対応するコラムの販売個数に加算する（Ｓ１０４）。
【００３２】
また、商品の販売により対応するコラムの商品が完売した場合には、コラムに設けられた完売検知部がコラムの商品が完売したことを示す信号を主制御部７０に出力する。主制御部７０は完売検知部からの信号を受けてコラムの商品が完売したことを判別する（Ｓ１０６）。そして、主制御部７０は表示制御部７２を制御して完売したコラムと対応する販売可否表示部１５の売切れランプを常時点灯させる。また、主制御部７０はカウンタ部４４に所定の信号を出力し、完売したコラムと対応するカウンタのカウントを開始させる（Ｓ１０８）。これにより、カウンタ部４４はコラム毎の完売してからの経過時間をカウントする。その後、自動販売機８０は販売待機状態（Ｓ１００）に復帰する。
【００３３】
次に、販売待機状態（Ｓ１００）において巡回員が補充管理等を行う場合、巡回員は先ず扉部３０に設けられた鍵部３２の開錠動作を行う。すると、第１検知部４０が第１の開動作としての鍵部３２の開錠を検知して所定の信号を主制御部７０に出力する。これにより、主制御部７０は第１の開動作が行われたことを判別し（Ｓ２００）、販売個数記録部４３から各コラムの販売個数を取得する。そして、表示制御部７２を制御して各コラムと対応する商品情報表示部３４に各コラムの販売個数を表示させる（Ｓ２０２）。このとき表示される販売個数は、前回扉部３０が後述する第１の閉動作をした時から上記の第１の開動作をしたときまでのものである。
【００３４】
上記のように、自動販売機８０に対する第１の開動作が行われると、各コラムと対応する商品情報表示部３４にそのコラムの商品の販売個数が自動的に表示されるため、巡回員はどの商品をどれだけ補充すべきかを瞬時に把握することができる。
【００３５】
次に、巡回員は扉部３０を開ける。すると、第２検知部４２が第２の開動作としての扉部３０の開動作を検知して所定の信号を主制御部７０に出力する。これにより、主制御部７０は第２の開動作が行われたことを判別し（Ｓ２０４）、カウンタ部４４からコラム毎の完売してからの経過時間を取得する。そして、表示制御部７２を制御して各コラムと対応する商品情報表示部３４にそれぞれの経過時間を表示させる（Ｓ２０６）。このとき、商品情報表示部３４に表示させる経過時間は時間単位もしくは日数単位が好ましい。また、経過時間を時間単位で表示して９９９時間を超えた場合に自動的に日数単位に変化させても良い。この場合、時間単位と日数単位を識別するために、日数単位の表示時には商品情報表示部３４の１桁目もしくは３桁目に日数単位表示を示す例えば“ｄ”の文字を表示させることが好ましい。
【００３６】
上記のように、自動販売機８０に対する第２の開動作が行われると、各コラムと対応する商品情報表示部３４にそのコラムの商品が売り切れてからの経過時間が自動的に表示されるため、巡回員は完売商品が何日前に完売したかを瞬時に把握することができ、適切な巡回期間の見直しを行うことができる。
【００３７】
次に、巡回員は商品の補充や商品の入れ替え、販売価格、温度設定の変更等の補充管理作業を行う。巡回員による補充管理が終了すると、巡回員は扉部３０を閉じる。すると、第２検知部４２が第２の閉動作としての扉部３０の閉動作を検知して所定の信号を主制御部７０に出力する。これにより、主制御部７０は第２の閉動作が行われたことを判別し（Ｓ２０８）、カウンタ部４４の全てのコラムのカウンタをリセットし経過時間を“０”とする（Ｓ２１０）。そして、カウンタ部４４は、主制御部７０からの商品が完売したことを示す信号が入力するまで待機する。よって、商品情報表示部３４が次回表示する経過時間は今回扉部３０が第２の閉動作をした後に商品が完売した時から次回扉部３０が第２の開動作をする時までの経過時間となる。
【００３８】
次に、巡回員は鍵部３２の施錠動作を行う。すると、第１検知部４０が第１の閉動作としての鍵部３２の施錠を検知して所定の信号を主制御部７０に出力する。これにより、主制御部７０は第１の閉動作が行われたことを判別し（Ｓ２１２）、販売個数記録部４３に記録された全てのコラムの販売個数をクリアする（Ｓ２１４）。これにより、商品情報表示部３４が次回表示する販売個数は今回扉部３０が第１の閉動作をした時から次回扉部３０が第１の開動作をする時までの販売個数となる。その後、自動販売機８０は販売待機状態（Ｓ１００）に復帰する。
【００３９】
以上のように、本発明に係る自動販売機８０によれば、第１検知部４０が第１の開動作を検知すると各コラムと対応する商品情報表示部３４にそのコラムの商品の販売個数を自動的に表示する。これにより、巡回員はどの商品をどれだけ補充すべきかを瞬時に把握することができ、効率の良い補充管理作業を行うことができる。また、第２検知部４２が第２の開動作を検知すると各コラムと対応する商品情報表示部３４にそのコラムの商品が完売してからの経過時間を自動的に表示する。これにより、巡回員は完売商品が何日前に完売したかを瞬時に把握することができ、巡回員が売切れ期間が生じないような適切な巡回期間の見直を行うことで効率の良い補充管理を行うことができる。
【００４０】
さらに、第１検知部４０及び第２検知部４２が第１の閉動作及び第２の閉動作を検知すると自動的に商品の販売個数のクリア及びカウンタ部４４のリセットを行うため、次回表示する販売個数は自動的に今回扉部３０が第１の閉動作をした時から次回扉部３０が第１の開動作をする時までの販売個数となる。また、次回表示する経過時間は自動的に今回扉部３０が第２の閉動作をした後に商品が完売した時から次回扉部３０が第２の開動作をする時までの経過時間となる。よって、巡回員は販売個数のクリア及びカウンタ部４４のリセットを行うための特別な動作をする必要が無く、効率の良い補充管理作業を行うことができる。
【００４１】
尚、上記の自動販売機８０は本発明に係る自動販売機の好適な一例であるから、自動販売機８０の各部の構成及び動作等は、本発明の要旨を逸脱しない範囲で変更して実施することが可能である。
【符号の説明】
【００４２】
３０    扉部
３４    商品情報表示部
４０    第１検知部
４２    第２検知部
４３    販売個数記録部
４４    カウンタ部
８０    自動販売機
【図１】
2010218134.tif 000003
【図２】
2010218134.tif 000004
【図３】
2010218134.tif 000005
【図４】
2010218134.tif 000006